(57)【特許請求の範囲】
【請求項１】
第１ケースと第２ケースとの内部に回路基板と表示パネルとが前記第１、第２の各ケースの一方に固定された状態で配置され、前記回路基板と前記表示パネルとが、多数の配線パターンを配列した配線シートによって、電気的に接続された電子機器において、
前記配線シートに一端部が前記配線シートを破損可能な状態で係止され、他端部が前記第１ケースと前記第２ケースとの他方に係止された連結部材を備え、
前記第１ケースと前記第２ケースとの他方に、前記他端部を嵌め殺し状態で係止する係止部を備えていることを特徴とする電子機器。
【請求項２】
請求項１に記載の電子機器において、前記配線シートには、前記連結部材の前記一端部が挿入する係止孔が、前記多数の配線パターンを避けた状態で、前記連結部材の前記一端部によって破損可能に設けられていることを特徴とする電子機器。
【請求項３】
請求項２に記載の電子機器において、前記配線シートの前記係止孔の縁部には、切込み部が設けられていることを特徴とする電子機器。
【請求項４】
請求項１〜請求項３のいずれか１項に記載の電子機器において、前記第１ケースと前記第２ケースとの前記他方には、前記第１ケースと前記第２ケースとの内部に前記連結部材が配置された状態で、前記第１ケースと前記第２ケースとが相互に取り付けられる際に、前記連結部材の前記他端部を係止する係止部が設けられていることを特徴とする電子機器。
【発明の詳細な説明】
【技術分野】
【０００１】
この発明は、小型電子式計算機（電卓）、電子辞書、携帯情報端末機（ＰＤＡ：パーソナル・デジタル・アシスタント）、携帯電話機、ゲーム機などの電子機器に関する。
【背景技術】
【０００２】
例えば、ゲーム機などの電子機器においては、特許文献１に記載されているように、第１ケースと第２ケースとの内部に設けられた回路基板が不正に改造されたり、別の機器に組み込まれたりするのを防ぐために、第１ケースと第２ケースとが簡単に開封されないように構成されたものが知られている。
【先行技術文献】
【特許文献】
【０００３】
【特許文献１】特開２００９−１５３８３７号公報
【０００４】
この種の電子機器は、第１ケースに爪部を有する第１突起部を形成し、第２ケースに爪部を有する第２突起部を形成し、この第１、第２の各突起部を抱き合わせ、その両方の外周に形状記憶合金からなるリングを巻き付けように配置し、この状態で第１、第２の各ケースの一方に設けられた貫通孔を通して加熱ノズルを挿入し、この加熱ノズルによってリングを加熱して収縮させることにより、リングが第１、第２の各突起部の各爪部に係止されて、第１、第２の各ケースが開封されないように構成されている。
【発明の概要】
【発明が解決しようとする課題】
【０００５】
しかしながら、このような従来の電子機器では、第１ケースと第２ケースとを、一見、開封することができないように見えるが、第１、第２の各ケースの一部を破壊したり、あるいは第１、第２の各ケースの一方に設けられた貫通孔に加熱ノズルや工具を挿入して、リングを膨張させたり破壊したりすると、第１ケースと第２ケースとが開封されてしまい、内部の回路基板が改造されたり、別の機器に組み込まれたりする恐れがある。
【０００６】
このような問題は、新たな開封防止構造のものを次々に開発しても、その新たな開封防止構造の欠陥を次々に探し出して、第１ケースと第２ケースとが開封されてしまうため、第１ケースと第２ケースとの開封を完全に防ぐことがでない。このため、第１、第２の各ケースを開封する際、あるいは開封しても内部の回路基板を取り外す際に、内部に組み込まれた電子回路が使用可能な状態で取り出させないようにして、電子回路の不正な改造や、別の機器への組み込みを防ぐようにすることが要望されている。
【０００７】
この発明が解決しようとする第１の課題は、第１、第２の各ケースを開封する際に、電子回路の使用を不可能にすることができる電子機器を提供することである。
また、この発明が解決しようとする第２の課題は、第１、第２の各ケースから内部の回路基板などの電子部品を取り外す際に、電子回路の使用を不可能にすることができる電子機器を提供することである。
【課題を解決するための手段】
【０００８】
この発明は、第１ケースと第２ケースとの内部に回路基板と表示パネルとが前記第１、第２の各ケースの一方に固定された状態で配置され、前記回路基板と前記表示パネルとが、多数の配線パターンを狭い間隔で配列した配線シートによって、電気的に接続された電子機器において、前記配線シートに一端部が前記配線シートを破損可能な状態で係止され、他端部が前記第１ケースと前記第２ケースとの他方に係止された連結部材を備え、前記第１ケースと前記第２ケースとの他方に、前記他端部を嵌め殺し状態で係止する係止部を備えていることを特徴とする電子機器である。
【発明の効果】
【００１０】
この発明によれば、第１、第２の各ケース内に確実に連結部材を組み込むことができ、第１、第２の各ケースが開封される際に、連結部材によって確実に配線シートを破損させることができ、これにより内部に組み込まれた電子回路の使用を不可能にすることができる。このため、電子回路が不正に改造されたり、電子回路を構成する電子部品が別の機器に組み込まれたりするのを確実に防ぐことができる。
【図面の簡単な説明】
【００１２】
【図１】この発明を小型電子式計算機に適用した実施形態１において、その表面側を示した斜視図である。
【図２】図１に示された小型電子式計算機の側面図である。
【図３】図１に示された小型電子式計算機の裏面図である。
【図４】図１に示された小型電子式計算機の分解斜視図である。
【図５】図４に示された小型電子式計算機において、回路基板と表示パネルとが配線シートによって接続された箇所を下側から見て示した要部の拡大図である。
【図６】図５のＡ−Ａ矢視における要部の拡大断面図である。
【図７】図５の配線シートにおける係止孔を示した要部の拡大図である。
【図８】図６に示された上部ケースと下部ケースとを取り付ける際に、連結部材のフック部が下部ケースの係止部に係合可能に対応した状態を示した要部の拡大断面図である。
【図９】図６に示された上部ケースと下部ケースとを取り外す際に、下部ケースによって連結部材が引っ張られ、この引っ張られた連結部材の一端部が配線シートを破損する状態を示した要部の拡大断面図である。
【図１０】この発明を小型電子式計算機に適用した実施形態２において、その裏面側を示した斜視図である。
【図１１】図１０に示された小型電子式計算において、下部ケースを取り外して上部ケースの内部を下側から見て示した裏面図である。
【図１２】図１１に示された小型電子式計算において、上部ケースの内部に組み込まれた回路基板、表示パネル、配線シートなどの電子部品と上部ケースとを分解して示した斜視図である。
【図１３】図１１に示された小型電子式計算において、回路基板と表示パネルとの間に位置する配線シートを示した要部の拡大図である。
【図１４】図１３のＢ−Ｂ矢視における要部の拡大断面図である。
【図１５】図１４に示された溶着ボス部の要部を更に拡大し示した断面図である。
【図１６】図１４に示された溶着ボス部を配線シートに溶着する過程を示し、（ａ）は溶着ボス部を配線シートの挿入孔に挿入させた状態を示した要部の拡大断面図、（ｂ）は配線シートの挿入孔に挿入された溶着ボス部を配線シートに溶着させた状態を示した要部の拡大断面図である。
【図１７】この発明を小型電子式計算機に適用した実施形態３において、上部ケースと下部ケースとを分解して示した斜視図である。
【図１８】図１７に示された小型電子式計算機のＣ−Ｃ矢視における要部の拡大断面図である。
【発明を実施するための形態】
【００１３】
（実施形態１）
以下、図１〜図９を参照して、この発明を小型電子式計算機に適用した実施形態１について説明する。
この小型電子式計算機は、関数機能を備えた高機能電卓であり、図１〜図４に示すように、上部ケース１と下部ケース２とを備え、この上部ケース１と下部ケース２との内部に回路基板３、表示パネル４、およびソーラパネル５が組み込まれた構成になっている。
【００１４】
上部ケース１は、ＡＢＳ樹脂やポリスチレン（ＰＳ）などの合成樹脂によって形成されている。この上部ケース１には、図１および図２に示すように、キー入力部６の各キートップ６ａが、上部ケース１の上面から露出した状態で、回路基板３に対応して設けられている。また、この上部ケース１には、図１に示すように、表示窓部７が表示パネル４に対応して設けられていると共に、開口窓部８がソーラパネル５に対応して設けられている。さらに、この上部ケース１の内部には、図４に示すように、電池収納部９が下側に開放された状態で開口窓部８の近傍に設けられている。
【００１５】
下部ケース２は、上部ケース１と同様、ＡＢＳ樹脂やポリスチレン（ＰＳ）などの合成樹脂によって形成され、図２および図４に示すように、上部ケース１の下側に取り付けられるように構成されている。この場合、下部ケース２の所定箇所には、図３および図４に示すように、ビス１１がそれぞれ挿入するビス挿入孔２ａが、上部ケース１に設けられた複数の取付ボス１ａにそれぞれ対応して設けられている。また、この下部ケース２には、図３および図４に示すように、電池蓋１２が上部ケース１の電池収納部９に対応して設けられていると共に、点検蓋１３が回路基板３のほぼ中央部に対応して設けられている。
【００１６】
回路基板３は、関数計算に必要な電子回路が組み込まれたものであり、図１および図４に示すように、その上面にキー入力部６が搭載されるように構成されている。このキー入力部６は、図１および図２に示すように、数字キー、カーソルキー、演算キーのほか、関数計算に必要な各種のキーを備え、その各キーのキートップ６ａがそれぞれ上部ケース１の上面から露出するように構成されている。
【００１７】
表示パネル４は、図１および図４に示すように、液晶表示素子やＥＬ（エレクトロルミネッセンス）表示素子などの平面型の表示素子からなり、上部ケース１の表示窓部７に対応して上部ケース１内に配置され、この状態で電気光学的に情報を表示し、その表示された情報が表示窓部７を通して外部から見えるように構成されている。ソーラパネル５は、外部光を受光して発電するものであり、上部ケース１の開口窓部８に対応した状態で、上部ケース１内に配置されている。
【００１８】
この場合、表示パネル４は、図４および図５に示すように、配線シート１４によって回路基板３と電気的に接続されている。この配線シート１４は、ヒートシールであり、図７に示すように、フレキシブルなフィルム基板１４ａの一面に多数の配線パターン１４ｂが狭い間で密集して配列された構成になっている。
【００１９】
この配線シート１４は、図４および図５に示すように、各配線パターン１４ｂの一端部が回路基板３の各出力端子に接続され、各配線パターン１４ｂの他端部が表示パネル４の各入力端子に接続されている。また、ソーラパネル５と電池（図示せず）が収納される電池収納部９とは、それぞれ接続ケーブル（図示せず）によって回路基板３と電気的に接続されている。
【００２０】
ところで、上部ケース１と下部ケース２との内部には、図５および図６に示すように、連結部材１５が配置さている。この連結部材１５は、上部ケース１と配線シート１４との間に配置され、この状態で一端部１５ａが配線シート１４にその配線シート１４を破損可能な状態で係止され、他端部１５ｂが配線シート１４の上側を横切って下部ケース２に係止されるように構成されている。この場合、配線シート１４には、図７に示すように、連結部材１５の一端部１５ａが挿入する係止孔１６が、多数の配線パターン１４ｂを避けた状態で、連結部材１５の一端部１５ａによって破損可能に設けられている。
【００２１】
すなわち、配線シート１４の係止孔１６は、図５および図７に示すように、配線シート１４のほぼ中間部分に位置するフィルム基板１４ａに設けられており、これに伴って配線シート１４の各配線パターン１４ｂは、係止孔１６を避けるために、その係止孔１６に対応する箇所が湾曲した形状で形成されている。また、この係止孔１６の縁部には、その周辺部を破損し易くするための複数の切込み部１６ａが設けられている。
【００２２】
一方、下部ケース２内における側部には、図６に示すように、上部ケース１と下部ケース２との内部に連結部材１５が配置された状態で、上部ケース１と下部ケース２とが相互に取り付けられる際に、配線シート１４の側方向に位置する連結部材１５の他端部１５ｂを嵌め殺し状態で係止する係止部１７が設けられている。
【００２３】
この場合、連結部材１５の他端部１５ｂの先端部（図６では下端部）には、図６に示すように、フック部１８が設けられている。一方、下部ケース２の係止部１７は、連結部材１５の他端部１５ｂのフック部１８を係止する係止突起部１７ａと、連結部材１５の他端部１５ｂのフック部１８を係止突起部１７ａに押し付けて係合させる押付突起部１７ｂとを備えている。
【００２４】
これにより、連結部材１５は、上部ケース１と下部ケース２とが取り付けられる際に、図８に示すように、その一端部１５ａが配線シート１４の係止孔１６に挿入され、他端部１５ｂが配線シート１４の側方に位置した状態で、連結部材１５の他端部１５ｂのフック部１８が下部ケース２の係止部１７の上方に位置して対応するように構成されている。
【００２５】
また、この連結部材１５は、連結部材１５のフック部１８が下部ケース２の係止部１７に対応した状態で、上部ケース１に下部ケース２を取り付ける際に、図６に示すように、連結部材１５のフック部１８が係止突起部１７ａと押付突起部１７ｂとの間に挿入されて、フック部１８が押付突起部１７ｂによって押付けられて係止突起部１７ａに係止されることにより、フック部１８が係止部１７に嵌め殺し状態で取り付けられるように構成されている。
【００２６】
さらに、この連結部材１５は、図６に示すように、フック部１８が押付突起部１７ｂによって押付けられて係止突起部１７ａに係止された状態で、上部ケース１と下部ケース２とを取り外して開封する際に、図９に示すように、下部ケース２の係止部１７によって連結部材１５のフック部１８が引っ張られ、これに伴って連結部材１５の一端部１５ａが引っ張られることにより、この一端部１５ａが配線シート１４の係止孔１６を引き裂くように構成されている。
【００２７】
次に、このような小型電子式計算機の作用について説明する。
この小型電子式計算機を組み立てる場合には、まず、図４に示すように、回路基板３と表示パネル４とを配線シート１４によって電気的に接続すると共に、ソーラパネル５と電池（図示せず）が収納される電池収納部９とを、それぞれ接続ケーブル（図示せず）によって回路基板３と電気的に接続する。
【００２８】
このときには、図５に示すように、配線シート１４のフィルム基板１４ａに形成された各配線パターン１４ｂの一端部を回路基板３の各出力端子に接続すると共に、各配線パターン１４ｂの他端部を表示パネル４の各入力端子に接続する。これにより、回路基板３と表示パネル４との間に、配線シート１４のフィルム基板１４ａに形成された係止孔１６が位置した状態で、配線シート１４が配置される。
【００２９】
この後、回路基板３の上面にキー入力部６を配置して、回路基板３、表示パネル４、およびソーラパネル５を上部ケース１内に組み付ける。このときには、キー入力部６の各キートップ６ａを上部ケース１の上面から露出させ、表示パネル４を上部ケース１の表示窓部７に対応させ、ソーラパネル５を上部ケース１の開口窓部８に対応させる。この状態で、上部ケース１と配線シート１４との間に連結部材１５を挿入させて、連結部材１５の一端部１５ａを配線シート１４の係止孔１６に挿入させて係止させると共に、連結部材１５の他端部１５ｂを配線シート１４の側方に配置する。
【００３０】
そして、上部ケース１の下に下部ケース２を取り付ける。このときには、上部ケース２の取付ボス１ａに下部ケース２のビス挿入孔２ａを対応させると共に、図８に示すように、連結部材１５の他端部１５ｂのフック部１８を下部ケース２の係止部１７に対応させる。この状態で、下部ケース２のビス挿入孔２ａにビス１１を挿入させて上部ケース２の取付ボス１ａにねじ込むことにより、上部ケース１に下部ケース２を取り付ける。
【００３１】
このときには、図６に示すように、連結部材１５のフック部１８が、係止突起部１７ａと押付突起部１７ｂとの間に挿入して係止突起部１７ａに嵌め殺し状態で係止される。すなわち、連結部材１５のフック部１８が係止突起部１７ａと押付突起部１７ｂとの間に挿入することにより、フック部１８が押付突起部１７ｂによって押し付けられて係止突起部１７ａに係止される。このときには、連結部材１５のフック部１８が下部ケース２の係止部１７に嵌め殺し状態で確実に且つ強固に係止される。これにより、小型電子式計算機が組み立てられる。
【００３２】
このように組み立てられた小型電子式計算機では、図１および図２に示すように、キー入力部６の各キートップ６ａをキー操作することにより、演算処理に必要な情報を入力して所望の演算処理を行うことができると共に、その入力情報および演算処理結果が表示パネル４に順次表示され、この表示された各種の情報を上部ケース１の表示窓部７を通して見ることができる。また、この小型電子式計算機において、電池（図示せず）を交換する場合には、下部ケース２の電池蓋１２を取り外すことにより、電池を交換することができる。
【００３３】
ところで、このような小型電子式計算機において、上部ケース１と下部ケース２とを取り外すと、連結部材１５によって配線シート１４が破損される。このときには、下部ケース２の下側からビス１１を取り外すことにより、上部ケース１と下部ケース２とを取り外すことができても、下部ケース２が上部ケースから離れるときに、図９に示すように、連結部材１５が下部ケース２によって引っ張られるので、この連結部材１５によって配線シート１４が破損される。
【００３４】
すなわち、連結部材１５は、図６に示すように、その一端部１５ａが配線シート１４の係止孔１６に挿入されて係止され、他端部１５ｂのフック部１８が下部ケース２の係止部１７に係止されていることにより、上部ケース１と下部ケース２とを取り外すときに、図９に示すように、下部ケース２と共に連結部材１５のフック部１８が引っ張られる。このため、配線シート１４の係止孔１６に挿入されている連結部材１５の一端部１５ａが配線シート１４を引っ張り、配線シート１４の係止孔１６の周囲に亀裂を生じさせ、この亀裂によって配線パターン１５ｂが断線する。
【００３５】
このときには、図７に示すように、配線シート１４の係止孔１６の縁部に複数の切込み部１６ａが設けられているので、連結部材１５の一端部１５ａによって配線シート１４が引っ張られると、係止孔１６の切込み部１６ａに沿って亀裂が生じ易くなり、これにより配線パターン１４ｂが断線する。このように、配線パターン１４ｂが断線すると、回路基板３と表示パネル４との接続が不完全になり、表示パネル４に表示される情報が正確に表示されないため、計算機としての機能を失う。
【００３６】
このように、配線シート１４が破損した場合には、配線シート１４を交換すれば良いのであるが、配線シート１４は多数の配線パターン１４ｂが狭い間隔で密集して配列されており、また回路基板３の出力端子の間隔および表示パネル４の入力端子の間隔も狭いため、配線シート１４を交換する際には、手間や時間がかかるばかりか、異方導電性接着剤などの特殊な接着剤で配線シート１４を回路基板３の出力端子と表示パネル４の入力端子とを接続しなければならず、その接続作業が面倒であり、簡単に配線シート１４を交換することはできない。
【００３７】
このように、この小型電子式計算機によれば、上部ケース１と下部ケース２との内部に回路基板３と表示パネル４とが上部ケース１に対して固定された状態で配置され、この回路基板３と表示パネル４とが、多数の配線パターン１４ｂを狭い間隔で配列した配線シート１４によって、電気的に接続されていると共に、この配線シート１４に連結部材１５の一端部１５ａが配線シート１４を破損可能な状態で係止され、且つ連結部材１５の他端部１５ｂが下部ケース２に係止されていることにより、上部ケース１と下部ケース２とを取り外して開封する際に、内部の電子回路の使用を不可能にすることができる。
【００３８】
すなわち、この小型電子式計算機では、上部ケース１と下部ケース２とが取り外されて開封される際に、連結部材１５によって配線シート１４を破損させることができ、これにより内部に組み込まれた電子回路の使用を不可能にすることができる。このため、電子回路が不正に改造されたり、電子回路を構成する回路基板３や表示パネル４などの電子部品が別の機器に組み込まれたりするのを確実に防ぐことができる。
【００３９】
この場合、配線シート１４には、連結部材１５の一端部１５ａが挿入する係止孔１６が、多数の配線パターン１４ｂを避けた状態で、連結部材１５の一端部１５ａによって破損可能に設けられていることにより、配線シート１４に係止孔１６を設けても、多数の配線パターン１４ｂによって回路基板３と表示パネル４とを確実に且つ良好に接続することができ、電子回路を正確に動作させることができると共に、連結部材１５の一端部１５ａによって係止孔１６の近傍に位置する配線パターン１４ｂを切断し易くすることができる。
【００４０】
また、配線シート１４の係止孔１６の縁部には、切込み部１６ａが設けられていることにより、連結部材１５の一端部１５ａが係止孔１６に挿入した状態で、連結部材１５の他端部１５ｂが下部ケース２と共に引っ張られると、連結部材１５の一端部１５ａによって係止孔１６が引き裂かれるように引っ張られるので、係止孔１６の縁部に設けられた切込み部１６ａによって配線シート１４に亀裂を生じ易くすることができ、これにより係止孔１６の近傍に位置する配線パターン１４ｂを確実に切断することができる。
【００４１】
この場合、下部ケース２には、上部ケース１と下部ケース２との内部に連結部材１５が配置された状態で、上部ケース１と下部ケース２とが相互に取り付けられる際に、連結部材１５の他端部１５ｂを係止する係止部１７が設けられていることにより、上部ケース１と下部ケース２とを取り外して開封する際に、上部ケース１から下部ケース２が離れるに伴って連結部材１５を確実に引っ張って移動させることができ、これにより連結部材１５の一端部１５ａを移動させて配線シート１４を確実に破損させることができる。
【００４２】
すなわち、連結部材１５の他端部１５ｂには、フック部１８が設けられており、下部ケース２の係止部１７は、連結部材１５のフック部１８を係止する係止突起部１７ａと、連結部材１５のフック部１８を係止突起部１７ａに押し付けて係合させる押付突起部１７ｂとを備えているので、上部ケース１と下部ケース２とを取り付ける際に、連結部材１５のフック部１８が係止突起部１７ａと押付突起部１７ｂとの間に挿入することにより、フック部１８を押付突起部１７ｂが係止突起部１７ａに押し付けて、嵌め殺し状態で確実に係止させることができる。
【００４３】
このため、上部ケース１と下部ケース２とを取り外して開封する際に、連結部材１５のフック部１８が押付突起部１７ｂによって係止突起部１７ａに押し付けられて確実に係止されていることにより、下部ケース２の係止部１７によって連結部材１５のフック部１８を確実に引っ張ることができ、これに伴って連結部材１５の一端部１５ａを確実に移動させることができるので、連結部材１５の一端部１５ａによって配線シート１４の係止孔１６を確実に引き裂いて配線シート１４を破損させることができる。
【００４４】
なお、上述した実施形態１では、連結部材１５の一端部１５ａを配線シート１４の係止孔１６に挿入させた場合について述べたが、これに限らず、例えば連結部材１５の一端部１５ａを配線シート１４の一部に接着や溶着などによって固着した構成であっても良い。このように構成しても、上部ケース１と下部ケース２とを取り外して開封する際に、連結部材１５の一端部１５ａが接着や溶着などによって固着された配線シート１４の一部を引っ張って破損させることができるので、実施形態１と同様、内部の電子回路の使用を不可能にすることができる。
【００４５】
（実施形態２）
次に、図１０〜図１６を参照して、この発明を小型電子式計算機に適用した実施形態２について説明する。なお、図１〜図９に示された実施形態１と同一部分には同一符号を付して説明する。
この小型電子式計算機は、図１０〜図１２に示すように、上部ケース１と下部ケース２とを取り外して開封しても、内部の電子回路を構成する回路基板３および表示パネル４が使用可能な状態で取り出せないように構成したものであり、これ以外は実施形態１とほぼ同じ構成になっている。
【００４６】
すなわち、この小型電子式計算機は、上部ケース１と下部ケース２とを取り外して開封することにより、電池収納部９に収納された電池（図示せず）が交換できるように構成されている。これに伴って、この小型電子式計算機は、上部ケース１と下部ケース２とを取り外して開封した状態では、回路基板３および表示パネル４が正常な状態で動作する必要があるが、回路基板３および表示パネル４を上部ケース１から取り外す際に、配線シート１４が破損するように構成されている。
【００４７】
このため、上部ケース１には、図１３および図１４に示すように、配線シート１４に固着される複数の溶着ボス部２０が一体に形成されている。この複数の溶着ボス部２０は、配線シート１４に多数の配線パターン１４ｂを避けて設けられた複数の挿入孔２１にそれぞれ挿入されて下側に突出し、この突出した部分２０ａがそれぞれ溶着により配線シート１４に固着されるように構成されている。
【００４８】
この場合、溶着ボス部２０の溶着された部分２０ａと配線シート１４との間には、図１５に示すように、その両方に接着固定される接着固定部２２が設けられている。この接着固定部２２は、熱可塑性の合成ゴム系接着剤で、異方導電性を有する接着剤であり、複数の配線パターン１４ｂに跨って配置されても、互いに隣接する配線パターン１４ｂ同士が導通して短絡しないように構成されている。また、この接着固定部２２は、溶着ボス部２０の溶着された部分２０ａと配線シート１４との両方に強固に接着するように構成されている。
【００４９】
これにより、溶着ボス部２０は、図１６（ａ）に示すように、配線シート１４の挿入孔２１に挿入されて下側に突出し、この突出した部分２０ａに接着固定部２２を配置し、この状態で突出した部分２０ａを加熱して溶融させることにより、溶融した部分２０ａが接着固定部２２と共に配線シート１４に固着されるように構成されている。
【００５０】
また、この溶着ボス部２０は、溶着した部分２０ａが配線シート１４に溶着された状態で、この溶着した部分２０ａを配線シート１４から無理に引き抜いたり、また溶着された部分２０ａを無理に切断したりすると、配線シート１４が破損し、配線パターン１４ｂが断線するように構成されている。この場合、接着固定部２２は、溶着ボス部２０の溶着部分２０ａのみを切断することができないように、溶着部分２０ａに強固に接着するように構成されている。
【００５１】
次に、このような小型電子式計算機の作用について説明する。
この小型電子式計算機を組み立てる場合には、実施形態１と同様、まず、図１２に示すように、回路基板３と表示パネル４とを配線シート１４によって電気的に接続すると共に、電池（図示せず）を収納する電池収納部９を接続ケーブル（図示せず）によって回路基板３と電気的に接続する。
【００５２】
このときには、図１４に示すように、配線シート１４のフィルム基板１４ａに形成された各配線パターン１４ｂの一端部を回路基板３の各出力端子に接続すると共に、各配線パターン１４ｂの他端部を表示パネル４の各入力端子に接続する。これにより、回路基板３と表示パネル４との間に、配線シート１４のフィルム基板１４ａに形成された複数の挿入孔２１が位置した状態で、配線シート１４が配置される。
【００５３】
この後、回路基板３の上面にキー入力部６を配置して、回路基板３および表示パネル４を上部ケース１内に組み付ける。このときには、キー入力部６の各キートップ６ａを上部ケース１から上部に露出させ、表示パネル４を上部ケース１の表示窓部７に対応させる。また、このときには、図１６（ａ）に示すように、複数の溶着ボス部２０を配線シート１４の複数の挿入孔２１にそれぞれ挿入して下側に突出させ、この突出した部分２０ａにそれぞれ接着固定部２２を配置する。
【００５４】
この状態で、図１６（ｂ）に示すように、突出した部分２０ａをそれぞれ加熱して溶融させることにより、図１５に示すように、溶着した部分２０ａが接着固定部２２と共に配線シート１４に固着する。そして、上部ケース１の下に下部ケース２を配置して、下部ケース２のビス挿入孔２ａにビス１１を挿入させて上部ケース２の取付ボス１ａにねじ込むことにより、上部ケース１と下部ケース２とを取り付ける。これにより、小型電子式計算機が組み立てられる。
【００５５】
このように組み立てられた小型電子式計算機では、実施形態１と同様、キー入力部６の各キートップ６ａをキー操作することにより、演算処理に必要な情報を入力して所望の演算処理を行うことができると共に、その入力情報および演算処理結果が表示パネル４に順次表示され、この表示された各種の情報を上部ケース１の表示窓部７を通して見ることができる。また、この小型電子式計算機において、電池（図示せず）を交換する場合には、上部ケース１と下部ケース２とを取り外すことにより、電池を交換することができる。
【００５６】
ところで、このような小型電子式計算機において、上部ケース１と下部ケース２とを取り外した状態で、回路基板３および表示パネル４を上部ケース１から取り外そうとして、複数の溶着ボス部２０の各溶着部分２０ａを配線シート１４から無理に引き抜くと、複数の溶着部分２０ａによって配線シート１４が破損し、複数の溶着部分２０ａの付近に位置する各配線パターン１４ｂが断線する。
【００５７】
また、このときに、配線シート１４に溶着された複数の溶着ボス部２０の各溶着部分２０ａをそれぞれ切断して、複数の溶着ボス部２０を配線シート１４から引き抜くことが考えられるが、複数の溶着部分２０ａをそれぞれ無理に切断すると、配線シート１４の配線パターン１４ｂが傷つき、配線パターン１４ｂが断線する。
【００５８】
この場合、溶着部分２０ａは接着固定部２２が配線シート１４と共に強固に接着されているので、溶着ボス部２０の溶着部分２０ａのみを切断することができない。このため、配線シート１４の配線パターン１４ｂが傷つき、配線パターン１４ｂが断線する。このように、配線パターン１４ｂが断線すると、実施形態１と同様、回路基板３と表示パネル４との接続が不完全になり、表示パネル４に表示される情報が正確に表示されないため、計算機としての機能を失う。
【００５９】
このように、この小型電子式計算機によれば、上部ケース１と下部ケース２との内部に回路基板３と表示パネル４とが上部ケース１に固定された状態で配置され、この回路基板３と表示パネル４とが、多数の配線パターン１４ｂを狭い間隔で配列した配線シート１４によって、電気的に接続されていると共に、上部ケース１には、配線シート１４に固着された溶着ボス部２０が設けられていることにより、上部ケース１と下部ケース２とを取り外して、回路基板３や表示パネル４などの電子部品を上部ケース１から取り外す際に、その電子部品からなる電子回路の使用を不可能にすることができる。
【００６０】
すなわち、この小型電子式計算機では、上部ケース１と下部ケース２とを取り外して内部の電子回路を構成する電子部品である回路基板３および表示パネル４を上部ケース１から取り外す際に、溶着ボス部２０の溶着した部分２０ａを配線シート１４から無理に抜き出したり、あるいは溶着部分２０ａを切断したりしようとすると、配線シート１４の配線パターン１４ｂが断線し、内部に組みかまれた電子回路の使用を不可能にすることができる。このため、電子回路が不正に改造されたり、電子回路を構成する電子部品が別の機器に組み込まれたりするのを確実に防ぐことができる。
【００６１】
この場合、溶着ボス部２０は、上部ケース１に一体に形成され、配線シート１４の多数の配線パターン１４ｂを避けて配線シート１４に設けられた挿入孔２１に挿入されて下部ケース２に向けて突出し、この突出した部分２０ａが溶着により配線シート１４に固着されていることにより、溶着ボス部２０を溶着部分２０ａによって配線シート１４に確実に且つ強固に固着することができる。これにより、回路基板３および表示パネル４を上部ケース１から取り外す際に、配線シート１４の配線パターン１４ｂを確実に断線させて電子回路の使用を不可能にすることができる。
【００６２】
また、この溶着ボス部２０の溶着された部分２０ａと配線シート１４との間には、その両方に接着固定される接着固定部２２が設けられていることにより、この接着固定部２２によって溶着ボス部２０の溶着された部分２０ａと配線シート１４との両方を強固に接着することができ、これによっても溶着ボス部２０と配線シート１４との取り外しを困難にすることができる。
【００６３】
この場合、接着固定部２２は、熱可塑性の合成ゴム系接着剤で、異方導電性を有する接着剤であることにより、複数の配線パターン１４ｂに跨った状態で接触して配置されても、互いに隣接する配線パターン１４ｂ同士が導通して短絡しないようにすることができる。このため、接着固定部２２によって溶着ボス部２０の溶着された部分２０ａと配線シート１４との両方を強固に接着しても、回路基板３と表示パネル４とを確実に且つ正確に接続して、電子回路を正常に使用することができる。
【００６４】
（実施形態３）
次に、図１７および図１８を参照して、この発明を小型電子式計算機に適用した実施形態３について説明する。この場合にも、図１〜図９に示された実施形態１と同一部分には同一符号を付して説明する。
この小型電子式計算機は、図１７および図１８に示すように、回路基板３と表示パネル４とを電気的に接続する配線シート１４を接着部材２５によって下部ケース２に接着固定した構成であり、これ以外は実施形態１とほぼ同じ構成になっている。
【００６５】
すなわち、この接着部材２５は、図１８に示すように、配線シート１４に接着する第１接着層２６と、この第１接着層２６に接着する絶縁体層２７と、この絶縁体層２７に接着すると共に下部ケース２に接着する第２接着層２８とを備えている。第１接着層２６は、配線シート１４に強固に接着すると共に、絶縁体層２７にも強固に接着する接着剤である。絶縁体層２７は、その厚みが回路基板３と下部ケース２との隙間とほぼ同じか、それよりも少し厚く形成されている。第２接着層２８は、絶縁体層２７に強固に接着すると共に下部ケース２に強固に接着する接着剤である。
【００６６】
また、この接着部材２５は、図１７および図１８に示すように、全体が細長い帯状に形成され、回路基板３の出力端子に隣接する箇所に位置する配線シート１４の下面に、その多数の配線パターン１４ｂを横切った状態で、接着されるように構成されている。これにより、この接着部材２５は、回路基板３と表示パネル４とに接続された配線シート１４に第１接着層６によって接着された状態で、回路基板３と表示パネル４とが組み付けられた上部ケース１に下部ケース２を取り付ける際に、下部ケース２によって回路基板３の端部に押し付けられることにより、下部ケース２に第２接着層２８が接着するように構成されている。
【００６７】
次に、このような小型電子式計算機の作用について説明する。
この小型電子式計算機を組み立てる場合には、実施形態１と同様、まず、図１７に示すように、回路基板３と表示パネル４とを配線シート１４によって電気的に接続すると共に、ソーラパネル５と電池（図示せず）が収納される電池収納部９とを、それぞれ接続ケーブル（図示せず）によって回路基板３と電気的に接続する。
【００６８】
このときにも、図１７および図１８に示すように、配線シート１４のフィルム基板１４ａに形成された各配線パターン１４ｂの一端部を回路基板３の各出力端子に接続すると共に、各配線パターン１４ｂの他端部を表示パネル４の各入力端子に接続する。この後、図１７に示すように、回路基板３の上面にキー入力部６を配置して、回路基板３および表示パネル４を上部ケース１内に組み付ける。このときには、キー入力部６の各キートップ６ａを上部ケース１から上部に露出させ、表示パネル４を上部ケース１の表示窓部７に対応させる。
【００６９】
この状態で、図１７および図１８に示すように、回路基板３の出力端子の近傍に位置する箇所の配線シート１４の下面に接着部材２５の第１接着層２６を強固に接着する。そして、上部ケース１の下に下部ケース２を配置して、下部ケース２のビス挿入孔２ａにビス１１を挿入させて上部ケース２の取付ボス１ａにねじ込んで、上部ケース１と下部ケース２とを取り付ける。
【００７０】
このときには、図１８に示すように、接着部材２５が下部ケース２によって回路基板３の端部に押し付けられる。このため、接着部材２５は、第１接着層２６が配線シート１４に接着された状態で、第２接着層２８が下部ケース２に強固に接着し、配線シート１４を下部ケース２に固定する。これにより、小型電子式計算機が組み立てられる。
【００７１】
このように組み立てられた小型電子式計算機では、実施形態１と同様、キー入力部６の各キートップ６ａをキー操作することにより、演算処理に必要な情報を入力して所望の演算処理を行うことができると共に、その入力情報および演算処理結果が表示パネル４に順次表示され、この表示された各種の情報を上部ケース１の表示窓部７を通して見ることができる。また、この小型電子式計算機において、電池（図示せず）を交換する場合には、実施形態１と同様、下部ケース２の電池蓋１２を取り外すことにより、電池を交換することができる。
【００７２】
ところで、このような小型電子式計算機において、上部ケース１と下部ケース２とを取り外すと、接着部材２５によって配線シート１４が破損する。この場合には、下部ケース２の下側からビス１１を取り外すことにより、上部ケース１と下部ケース２とを取り外すことができても、下部ケース２が上部ケース１から離れるときに、下部ケース２に接着された接着部材２５が配線シート１４を引っ張るので、この接着部材２５によって配線シート１４が破損する。
【００７３】
すなわち、接着部材２５は、図１８に示すように、その第１接着層２６が配線シート１４に接着固定され、第２接着層２８が下部ケース２に接着固定されていることにより、上部ケース１と下部ケース２とを取り外すときに、下部ケース２と共に接着部材２５が配線シート１４を引っ張る。このため、配線シート１４が破損し、配線パターン１４ｂが断線するので、実施形態１と同様、回路基板３と表示パネル４との接続が不完全になり、表示パネル４に表示される情報が正確表示されないため、計算機としての機能を失う。
【００７４】
このように、この小型電子式計算機によれば、上部ケース１に組み込まれた回路基板３と表示パネル４とを電気的に接続する配線シート１４と下部ケース２とを接着部材２５によって接着固定したので、実施形態１と同様、上部ケース１と下部ケース２とを取り外して開封する際に、内部の電子回路の使用を不可能にすることができる。
【００７５】
すなわち、この小型電子式計算機では、上部ケース１と下部ケース２とが開封される際に、接着部材２５によって配線シート１４を破損させることができ、これにより内部に組み込まれた電子回路の使用を不可能にすることができる。このため、電子回路が不正に改造されたり、電子回路を構成する回路基板３や表示パネル４などの電子部品が別の機器に組み込まれたりするのを確実に防ぐことができる。
【００７６】
この場合、接着部材２５は、配線シート１４に接着する第１接着層２６と、この第１接着層２６に接着する絶縁体層２７と、この絶縁体層２７に接着すると共に下部ケース２に接着する第２接着層２８とを備えているので、第１接着層２６によって配線シート１４と絶縁体層２７とを強固に接着することができると共に、第２接着層２８によって絶縁体層２７と下部ケース２とを強固に接着することができ、これにより上部ケース１と下部ケース２とを取り外して開封する際に、配線シート１４を確実に破損させることができる。
【００７７】
また、接着部材２５は、絶縁体層２７の厚みが回路基板３と下部ケース２との隙間とほぼ同じか、それよりも少し厚く形成されていることにより、上部ケース１と下部ケース２とを取り付ける際に、接着部材２５を下部ケース２によって回路基板３に押し付けることができ、これにより配線シート１４と下部ケース２とを接着部材２５によって強固に接着固定することができる。このため、上部ケース１と下部ケース２とを取り外して開封する際に、配線シート１４を確実に破損させることができる。
【００７８】
なお、上述した実施形態３では、接着部材２５によって配線シート１４を下部ケース２に接着固定した場合について述べたが、これに限らず、例えば接着部材２５によって配線シート１４を上部ケース２に接着固定しても良い。この場合には、実施形態２と同様、上部ケース１と下部ケース２とを取り外すことができても、回路基板３および表示パネル４を上部ケース１から取り外すときに、接着部材２５によって配線シート１４を破損させることができる。
【００７９】
また、上述した実施形態１〜３およびその変形では、小型電子式計算機に適用した場合について述べたが、これに限らず、例えば電子辞書、携帯情報端末機（ＰＤＡ：パーソナル・デジタル・アシスタント）、携帯電話機、携帯型のゲーム機など、各種の電子機器に広く適用することができる。
【００８０】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８１】
（付記）
請求項１に記載の発明は、第１ケースと第２ケースとの内部に回路基板と表示パネルとが前記第１、第２の各ケースの一方に固定された状態で配置され、前記回路基板と前記表示パネルとが、多数の配線パターンを狭い間隔で配列した配線シートによって、電気的に接続された電子機器において、前記配線シートに一端部が前記配線シートを破損可能な状態で係止され、他端部が前記第１ケースと前記第２ケースとの他方に係止された連結部材を備えていることを特徴とする電子機器である。
【００８２】
請求項２に記載の発明は、請求項１に記載の電子機器において、前記配線シートには、前記連結部材の前記一端部が挿入する係止孔が、前記多数の配線パターンを避けた状態で、前記連結部材の前記一端部によって破損可能に設けられていることを特徴とする電子機器である。
【００８３】
請求項３に記載の発明は、請求項２に記載の電子機器において、前記配線シートの前記係止孔の縁部には、切込み部が設けられていることを特徴とする電子機器である。
【００８４】
請求項４に記載の発明は、請求項１〜請求項３に記載の電子機器において、前記第１ケースと前記第２ケースとの前記他方には、前記第１ケースと前記第２ケースとの内部に前記連結部材が配置された状態で、前記第１ケースと前記第２ケースとが相互に取り付けられる際に、前記連結部材の前記他端部を係止する係止部が設けられていることを特徴とする電子機器である。
【００８５】
請求項５に記載の発明は、第１ケースと第２ケースとの内部に回路基板と表示パネルとが前記第１、第２の各ケースの一方に固定された状態で配置され、前記回路基板と前記表示パネルとが、多数の配線パターンを狭い間隔で配列した配線シートによって、電気的に接続された電子機器において、前記第１ケースと前記第２ケースとのいずれか一方と前記配線シートとを固着するための固着部を備えていることを特徴とする電子機器である。
【００８６】
請求項６に記載の発明は、請求項５に記載の電子機器において、前記固着部は、前記第１ケースと前記第２ケースとのいずれか一方に形成され、前記配線シートに前記多数の配線パターンを避けて設けられた挿入孔に挿入されて突出し、この突出した部分が溶着により前記配線シートに固着された溶着ボス部であることを特徴とする電子機器である。
【００８７】
請求項７に記載の発明は、請求項６に記載の電子機器において、前記溶着ボス部の溶着された部分と前記配線シートとの間には、その両方に接着固定される接着固定部が設けられていることを特徴とする電子機器である。
【００８８】
請求項８に記載の発明は、請求項５に記載の電子機器において、前記固着部は、前記第１ケースと前記第２ケースとのいずれか一方と前記配線シートとに接着固定された接着部材であることを特徴とする電子機器である。
【符号の説明】
【００８９】
１  上部ケース
２  下部ケース
３  回路基板
４  表示パネル
１４  配線シート
１４ａ  フィルム基板
１４ｂ  配線パターン
１５  連結部材
１６  係止孔
１６ａ  切込み部
１７  係止部
１７ａ  係止突起部
１７ｂ  押付突起部
１８  フック部
２０  溶着ボス部
２０ａ  溶着部分
２１  挿入孔
２２  接着固定部
２５  接着部材
２６  第１接着層
２７  絶縁体層
２８  第２接着層
【図１】
0005700287.tif 000002
【図２】
0005700287.tif 000003
【図３】
0005700287.tif 000004
【図４】
0005700287.tif 000005
【図５】
0005700287.tif 000006
【図６】
0005700287.tif 000007
【図７】
0005700287.tif 000008
【図８】
0005700287.tif 000009
【図９】
0005700287.tif 000010
【図１０】
0005700287.tif 000011
【図１１】
0005700287.tif 000012
【図１２】
0005700287.tif 000013
【図１３】
0005700287.tif 000014
【図１４】
0005700287.tif 000015
【図１５】
0005700287.tif 000016
【図１６】
0005700287.tif 000017
【図１７】
0005700287.tif 000018
【図１８】
0005700287.tif 000019